(57)【要約】【課題】ＧＰＳ機能が使用できない場所においても、現在地に関連する情報を取得することが可能な現在地関連情報取得システム等を提供する。【解決手段】携帯端末は、非接触型ＩＣカードにタッチされると、非接触型ＩＣカードに記憶されているカードＩＤを読み込む（Ｓ２、Ｓ３）。携帯端末は、ユーザＩＤ、カードＩＤ、および行動情報を、ネットワークを介してデータセンタに送信する（Ｓ４）。データセンタは、携帯端末から送信されてきたカードＩＤ、ユーザＩＤ、および行動情報を受信し、それらの情報を解析し、解析結果に基づく最適な情報をデータベースから読み出し、送信情報（ウェブページ）を生成し、携帯端末に配信する（Ｓ５〜Ｓ８）。携帯端末は、データセンタから配信されてきた情報を受信し、表示する。これにより、携帯端末がタッチした非接触型ＩＣカードの設置位置（現在地）の周辺マップが表示される。【選択図】図６
2015138320.tif 000002
【特許請求の範囲】
【請求項１】
携帯端末と、非接触型ＩＣカードの情報を管理するデータ配信装置とがネットワークを介して接続される現在地関連情報取得システムであって、
前記携帯端末は、
ランドマークに設置されている前記非接触型ＩＣカードからカードＩＤを読み込む読み込み手段と、
前記読み込み手段により読み込まれた前記カードＩＤを前記データ配信装置に送信する送信手段と、
前記データ配信装置から、前記カードＩＤに紐付いた情報を受信し、表示する表示制御手段と、
を備え、
前記データ配信装置は、
前記カードＩＤに紐付いた位置情報、および、前記位置情報に関連する情報を記憶する記憶手段と、
前記携帯端末から受信した前記カードＩＤに基づいて、前記記憶手段から対応する前記情報を読み出し、前記携帯端末に配信する配信手段と、
を備えることを特徴とする現在地関連情報取得システム。
【請求項２】
前記携帯端末は、前記携帯端末で行われた操作履歴に関する行動情報を記憶する行動情報記憶手段をさらに備え、
前記送信手段は、前記行動情報記憶手段に記憶されている前記行動情報をさらに送信し、
前記データ配信装置の前記配信手段は、前記カードＩＤおよび前記行動情報に基づいて、前記記憶手段から対応する前記情報を読み出し、前記携帯端末に配信する
ことを特徴とする請求項１に記載の現在地関連情報取得システム。
【請求項３】
ランドマークに設置されている非接触型ＩＣカードからカードＩＤを読み込む読み込み手段と、
前記読み込み手段により読み込まれた前記カードＩＤを、ネットワークを介してデータ配信装置に送信する送信手段と、
前記データ配信装置から、前記ネットワークを介して、前記カードＩＤに紐付いた情報を受信し、表示する表示制御手段と、
を備えることを特徴とする携帯端末。
【請求項４】
前記携帯端末で行われた操作履歴に関する行動情報を記憶する行動情報記憶手段をさらに備え、
前記送信手段は、前記行動情報記憶手段に記憶されている前記行動情報をさらに送信し、
前記表示制御手段は、前記カードＩＤおよび前記行動情報に紐付いた前記情報を受信し、表示する
ことを特徴とする請求項３に記載の携帯端末。
【請求項５】
ランドマークに設置されている非接触型ＩＣカードからカードＩＤを読み込む読み込みステップと、
前記読み込みステップにより読み込まれた前記カードＩＤを、ネットワークを介してデータ配信装置に送信する送信ステップと、
前記データ配信装置から、前記ネットワークを介して、前記カードＩＤに紐付いた情報を受信し、表示する表示制御ステップと、
を含むことを特徴とする現在地関連情報取得方法。
【請求項６】
コンピュータを、
ランドマークに設置されている非接触型ＩＣカードからカードＩＤを読み込む読み込み手段、
前記読み込み手段により読み込まれた前記カードＩＤを、ネットワークを介してデータ配信装置に送信する送信手段、
前記データ配信装置から、前記ネットワークを介して、前記カードＩＤに紐付いた情報を受信し、表示する表示制御手段、
として機能させるためのプログラム。
【請求項７】
ランドマークに設置されている非接触型ＩＣカードのカードＩＤに紐付いた位置情報、および、前記位置情報に関連する情報を記憶する記憶手段と、
携帯端末が前記非接触型ＩＣカードから読み込んだ前記ＩＣカードを、ネットワークを介して受信し、受信した前記カードＩＤに基づいて、前記記憶手段から対応する前記情報を読み出し、前記ネットワークを介して、前記携帯端末に配信する配信手段と、
を備えることを特徴とするデータ配信装置。
【請求項８】
前記配信手段は、前記携帯端末から、前記携帯端末で行われた操作履歴に関する行動情報をさらに受信し、受信した前記カードＩＤおよび前記行動情報に基づいて、前記記憶手段から対応する前記情報を読み出し、前記携帯端末に配信する
ことを特徴とする請求項７に記載のデータ配信装置。
【請求項９】
ランドマークに設置されている非接触型ＩＣカードのカードＩＤに紐付いた位置情報、および、前記位置情報に関連する情報を記憶する記憶手段を備えたデータ配信装置のデータ配信方法であって、
携帯端末が前記非接触型ＩＣカードから読み込んだ前記ＩＣカードを、ネットワークを介して受信し、受信した前記カードＩＤに基づいて、前記記憶手段から対応する前記情報を読み出し、前記ネットワークを介して、前記携帯端末に配信する配信ステップ
を含むことを特徴とするデータ配信方法。
【請求項１０】
コンピュータを、
ランドマークに設置されている非接触型ＩＣカードのカードＩＤに紐付いた位置情報、および、前記位置情報に関連する情報を記憶する記憶手段、
携帯端末が前記非接触型ＩＣカードから読み込んだ前記ＩＣカードを、ネットワークを介して受信し、受信した前記カードＩＤに基づいて、前記記憶手段から対応する前記情報を読み出し、前記ネットワークを介して、前記携帯端末に配信する配信手段、
として機能させるためのプログラム。
【発明の詳細な説明】
【技術分野】
【０００１】
本発明は、現在地に関連する情報を取得する現在地関連情報取得システム等に関するものである。
【背景技術】
【０００２】
近年、携帯電話機やスマートフォンなどの携帯情報端末の普及に伴い、携帯端末向けのＧＰＳ（Global Positioning System）で取得できる位置情報を利用し、周辺情報サービスの検索が行われるようになってきている。
【０００３】
例えば、特許文献１には、ＧＰＳセンサを用いて利用者の周辺情報を検索する技術が提案されている。
【先行技術文献】
【特許文献】
【０００４】
【特許文献１】特開２０１２−１８５５７０号公報
【発明の概要】
【発明が解決しようとする課題】
【０００５】
特許文献１等に記載の技術では、ＧＰＳセンサが使用できない場所において、周辺情報を検索することができない課題があった。
また、ＧＰＳセンサの位置情報はそれほど精度がよくないため、正確な場所を特定する情報として用いるには課題がある。
【０００６】
本発明は、前述した問題点に鑑みてなされたもので、その目的とすることは、特定の場所（以下、ランドマークともいう。）に設置された情報源から、現在地に関連する情報を正確に取得することが可能な現在地関連情報取得システムなどを提供することである。
【課題を解決するための手段】
【０００７】
前述した目的を達成するための第１の発明は、携帯端末と、非接触型ＩＣカードの情報を管理するデータ配信装置とがネットワークを介して接続される現在地関連情報取得システムであって、前記携帯端末は、ランドマークに設置されている前記非接触型ＩＣカードからカードＩＤを読み込む読み込み手段と、前記読み込み手段により読み込まれた前記カードＩＤを前記データ配信装置に送信する送信手段と、前記データ配信装置から、前記カードＩＤに紐付いた情報を受信し、表示する表示制御手段と、を備え、前記データ配信装置は、前記カードＩＤに紐付いた位置情報、および、前記位置情報に関連する情報を記憶する記憶手段と、前記携帯端末から受信した前記カードＩＤに基づいて、前記記憶手段から対応する前記情報を読み出し、前記携帯端末に配信する配信手段と、を備えることを特徴とする現在地関連情報取得システムである。
第１の発明によって、携帯端末のＧＰＳ機能が使用できない場所においても、現在地に関連する情報をデータセンタから取得することが可能となる。
【０００８】
前記携帯端末は、前記携帯端末で行われた操作履歴に関する行動情報を記憶する行動情報記憶手段をさらに備え、前記送信手段は、前記行動情報記憶手段に記憶されている前記行動情報をさらに送信し、前記データ配信装置の前記配信手段は、前記カードＩＤおよび前記行動情報に基づいて、前記記憶手段から対応する前記情報を読み出し、前記携帯端末に配信することが望ましい。
これによって、ユーザにとって、より最適な情報を取得することが可能となる。
【０００９】
第２の発明は、ランドマークに設置されている非接触型ＩＣカードからカードＩＤを読み込む読み込み手段と、前記読み込み手段により読み込まれた前記カードＩＤを、ネットワークを介してデータ配信装置に送信する送信手段と、前記データ配信装置から、前記ネットワークを介して、前記カードＩＤに紐付いた情報を受信し、表示する表示制御手段と、を備えることを特徴とする携帯端末である。
第２の発明によって、携帯端末のＧＰＳ機能が使用できない場所においても、現在地に関連する情報をデータセンタから取得することが可能となる。
【００１０】
前記携帯端末で行われた操作履歴に関する行動情報を記憶する行動情報記憶手段をさらに備え、前記送信手段は、前記行動情報記憶手段に記憶されている前記行動情報をさらに送信し、前記表示制御手段は、前記カードＩＤおよび前記行動情報に紐付いた前記情報を受信し、表示することが望ましい。
これによって、ユーザにとって、より最適な情報を取得することが可能となる。
【００１１】
第３の発明は、ランドマークに設置されている非接触型ＩＣカードからカードＩＤを読み込む読み込みステップと、前記読み込みステップにより読み込まれた前記カードＩＤを、ネットワークを介してデータ配信装置に送信する送信ステップと、前記データ配信装置から、前記ネットワークを介して、前記カードＩＤに紐付いた情報を受信し、表示する表示制御ステップと、を含むことを特徴とする現在地関連情報取得方法である。
第３の発明によって、携帯端末のＧＰＳ機能が使用できない場所においても、現在地に関連する情報をデータセンタから取得することが可能となる。
【００１２】
第４の発明は、コンピュータを、ランドマークに設置されている非接触型ＩＣカードからカードＩＤを読み込む読み込み手段、前記読み込み手段により読み込まれた前記カードＩＤを、ネットワークを介してデータ配信装置に送信する送信手段、前記データ配信装置から、前記ネットワークを介して、前記カードＩＤに紐付いた情報を受信し、表示する表示制御手段、として機能させるためのプログラムである。
第４の発明のプログラムを汎用のコンピュータにインストールすることによって、第２の発明の携帯端末を得ることができる。
【００１３】
第５の発明は、ランドマークに設置されている非接触型ＩＣカードのカードＩＤに紐付いた位置情報、および、前記位置情報に関連する情報を記憶する記憶手段と、携帯端末が前記非接触型ＩＣカードから読み込んだ前記ＩＣカードを、ネットワークを介して受信し、受信した前記カードＩＤに基づいて、前記記憶手段から対応する前記情報を読み出し、前記ネットワークを介して、前記携帯端末に配信する配信手段と、を備えることを特徴とするデータ配信装置である。
第５の発明によって、ＧＰＳ機能が使用できない場所での携帯端末の現在地に関連する情報を配信することが可能となる。
【００１４】
前記配信手段は、前記携帯端末から、前記携帯端末で行われた操作履歴に関する行動情報をさらに受信し、受信した前記カードＩＤおよび前記行動情報に基づいて、前記記憶手段から対応する前記情報を読み出し、前記携帯端末に配信することが望ましい。
これによって、ユーザにとって、より最適な情報を配信することができる。
【００１５】
第６の発明は、ランドマークに設置されている非接触型ＩＣカードのカードＩＤに紐付いた位置情報、および、前記位置情報に関連する情報を記憶する記憶手段を備えたデータ配信装置のデータ配信方法であって、携帯端末が前記非接触型ＩＣカードから読み込んだ前記ＩＣカードを、ネットワークを介して受信し、受信した前記カードＩＤに基づいて、前記記憶手段から対応する前記情報を読み出し、前記ネットワークを介して、前記携帯端末に配信する配信ステップを含むことを特徴とするデータ配信方法である。
第６の発明によって、ＧＰＳ機能が使用できない場所での携帯端末の現在地に関連する情報を配信することが可能となる。
【００１６】
第７の発明は、コンピュータを、ランドマークに設置されている非接触型ＩＣカードのカードＩＤに紐付いた位置情報、および、前記位置情報に関連する情報を記憶する記憶手段、携帯端末が前記非接触型ＩＣカードから読み込んだ前記ＩＣカードを、ネットワークを介して受信し、受信した前記カードＩＤに基づいて、前記記憶手段から対応する前記情報を読み出し、前記ネットワークを介して、前記携帯端末に配信する配信手段、として機能させるためのプログラムである。
第７の発明のプログラムを汎用のコンピュータにインストールすることによって、第５の発明のデータ配信装置を得ることができる。
【発明の効果】
【００１７】
本発明により、特定の場所に設置された情報源から、現在地に関連する情報を正確に取得することが可能となる。
【図面の簡単な説明】
【００１８】
【図１】本発明の実施の形態に係る現在地関連情報取得システムの構成例を示す図である。
【図２】携帯端末のハードウェアの構成例を示す図である。
【図３】携帯端末の制御部の機能構成例を示すブロック図である。
【図４】データセンタの構成例を示す図である。
【図５】データセンタの制御部の機能構成例を示すブロック図である。
【図６】現在地関連情報取得処理を説明するフローチャートである。
【図７】現在地関連情報表示画面の表示例を示す図である。
【図８】携帯端末が非接触型ＩＣカードにタッチされた場合の現在地関連情報表示画面の表示例を示す図である。
【図９】現在地関連情報表示画面において、津波マップのボタンが選択された場合の表示例を示す図である。
【図１０】現在地関連情報表示画面において、洪水マップのボタンが選択された場合の表示例を示す図である。
【図１１】現在地関連情報表示画面において、乗車案内のボタンが選択された場合の表示例を示す図である。
【図１２】図１１の現在地関連情報表示画面において、ルート検索のボタンが選択された場合の表示例を示す図である。
【図１３】図１２の現在地関連情報表示画面において、ルート詳細のボタンが選択された場合の表示例を示す図である。
【図１４】現在地関連情報表示画面において、おすすめ情報のボタンが選択された場合の表示例を示す図である。
【図１５】現在地関連情報表示画面において、イベント情報のボタンが選択された場合の表示例を示す図である。
【図１６】現在地関連情報表示画面において、緊急地震速報のサービスを受信した場合の表示例を示す図である。
【発明を実施するための形態】
【００１９】
以下、図面に基づいて、本発明の実施形態を詳細に説明する。
【００２０】
［本発明の実施の形態］
（現在地関連情報取得システムの構成）
図１は、本発明の実施の形態に係る現在地関連情報取得システム１の構成例を示す図である。
【００２１】
図１に示すように、現在地関連情報取得システム１は、携帯端末２、およびデータセンタ（データ配信装置）３がネットワーク４を介して接続されることで構成されている。ネットワーク４は、ＬＡＮ（Local  Area  Network）、インターネット等である。
【００２２】
携帯端末２は、例えば、ＣＰＵ（Central  Processing  Unit）、ＲＯＭ（Read  Only  Memory）、ＲＡＭ（Random  Access  Memory）、入力部、および表示画面などを実装した携帯型コンピュータであって、例えば、スマートフォン、カメラ付き携帯電話機、タブレット端末（携帯情報端末）等である。
携帯端末２は、ＮＦＣ（Near
Field Communication）方式の近距離無線通信機能を備えている。
【００２３】
ＮＦＣ方式の近距離無線通信とは、ＩＳＯ／ＩＥＣ２１４８１（ＮＦＣＩＰ−２）規格に沿った通信方式、又は、将来これを含んで拡張される通信方式を意味する。ＮＦＣ方式のデバイスには、対応すべき３つのモードが規定されている。
１．リーダ／ライタモード
ＮＦＣデバイスが、非接触ＩＣカードに相当するデバイスから、データの読み込み及び書き込みを行うモードである。
２．カードエミュレーションモード
ＮＦＣデバイスが、非接触ＩＣカードの役割をするモードである。
３．Ｐ２Ｐ（Ｐｅａｒ  ｔｏ  Ｐｅａｒ）モード
ＮＦＣ方式のデバイス（イニシエータ）が、他のＮＦＣ方式のデバイス（ターゲット）と、双方向通信をするモードである。
【００２４】
携帯端末２は、現在地に関連する情報（以下、現在地関連情報と称する）を取得する場合に、ユーザによって所定のアプリケーションが起動され、例えば、街頭や店舗等に設置された非接触型ＩＣカード５に当該端末がかざされると、非接触型ＩＣカード５から、ＮＦＣ方式のリーダ／ライタモード（又はＰ２Ｐモード）でカードＩＤを受信（取得）する。そして、携帯端末２は、ネットワーク４を介してデータセンタ３にアクセスし、取得したカードＩＤを送信し、対応する現在地関連情報を取得し、表示する。
【００２５】
なお、カードＩＤの取得方法としては、非接触型ＩＣカード５からＮＦＣ方式のリーダ／ライタモード（又はＰ２Ｐモード）で受信する以外にも、例えば、非接触型ＩＣカード５の表面に印刷された電導インクを検知することで取得する方法もある。
本実施の形態においては、ＮＦＣ方式のリーダ／ライタモード（又はＰ２Ｐモード）で受信する場合について説明するが、カードＩＤの取得方法は、特に限定しない。
【００２６】
データセンタ３は、例えば、ＣＰＵ、ＲＯＭ、ＲＡＭ、ＨＤＤ（Hard  Disk  Drive）等を有するコンピュータであり、カードＩＤ、カードＩＤに紐付く位置情報、および、位置情報に関連するさまざまな情報をデータベース６で管理している。
【００２７】
データセンタ３は、携帯端末２からカードＩＤを受信すると、データベース６から、カードＩＤに紐付く位置情報に関連するさまざまな情報を読み出し、携帯端末２に配信する。
【００２８】
非接触型ＩＣカード５は、電源を必要とせず、内部にＩＣチップを内蔵しており、ＮＦＣ方式の近距離無線通信機能を備えている。ＩＣチップには、非接触型ＩＣカード５を一意に識別するためのカードＩＤが記憶されており、ＮＦＣ方式の近距離無線通信により読み取られる。
非接触型ＩＣカード５は、例えば、地下等のＧＰＳが使用できない場所、店舗、街頭といったランドマーク等に設置される。
【００２９】
図１において、携帯端末２、データセンタ３、非接触型ＩＣカード５、およびデータベース６の数は、任意であり、それぞれ複数設けることも勿論可能である。
【００３０】
（携帯端末の構成）
図２は、携帯端末２のハードウェアの構成例を示す図である。尚、図２の構成は、あくまで一例であり、用途、目的に応じて様々な構成を採ることが可能である。
【００３１】
携帯端末２は、制御部１１、記憶部１２、通信制御部１３、入力部１４、表示部１５、および近距離無線通信部１６などが、バス１７を介して接続される。
【００３２】
制御部１１は、ＣＰＵ、ＲＯＭ、ＲＡＭ等で構成される。制御部１１は、記憶部１２に記憶されたプログラムに基づいて所定の処理を行い、通話機能、ブラウザ機能、およびメール機能などを実現する。
【００３３】
記憶部１２は、制御部１１が実行するプログラム、プログラム実行に必要なデータ、ＯＳ等を格納するとともに、近距離無線通信部１６経由で提供されたデータ等を記憶する。また記憶部１２は、携帯端末２のユーザの行動情報を記憶する。
行動情報は、例えば、携帯端末２の図示せぬデジタルカメラで撮影された際の位置情報、通話機能、ブラウザ機能、メール機能等が操作された際の位置情報、および、ブラウザ機能で検索されたキーワード（嗜好）を含む操作履歴に関する情報である。位置情報は、図示せぬＧＰＳ（Global Positioning System）で取得される。
【００３４】
通信制御部１３は、通信制御装置、通信ポート等を有し、携帯端末２とネットワーク４間の通信を媒介する通信インターフェースであり、ネットワーク４を介して、他のコンピュータ又は他の携帯端末との音声通信やデータ通信の制御を行う。
【００３５】
入力部１４は、ボタンやタッチパネルなどで構成され、操作指示、動作指示、データ入力等を行う。
表示部１５は、液晶パネル等のディスプレイ装置であり、制御部１１から供給される情報を表示する。
入力部１４および表示部１５は、タッチパネルディスプレイのように、一体となっていても良い。
【００３６】
近距離無線通信部１６は、図示しないアンテナを用いて、前述したＮＦＣ方式の近距離無線通信を行う。
【００３７】
図３は、携帯端末２の機能構成例を示すブロック図である。図３に示す機能構成例のうちの少なくとも一部は、図２の携帯端末３の制御部１１により所定のアプリケーションが実行されることによって実現される。
【００３８】
情報送受信部２１は、ＮＦＣ方式の近距離無線通信機能を備えた非接触型ＩＣカード５（ターゲット）を検知すると、近距離無線通信部１６を介してリーダ／ライタモード（又はＰ２Ｐモード）で非接触型ＩＣカード５からカードＩＤを受信する。
【００３９】
センタ接続部２２は、通信制御部１３およびネットワーク４を介してデータセンタ３に接続し、カードＩＤ、および、携帯端末２の記憶部１２に記憶されているユーザＩＤと行動情報を読み出し、データセンタ３に送信する。
表示制御部２３は、データセンタ３からネットワーク４を介して受信した現在地関連情報を表示部１５に表示させる。
【００４０】
（データセンタの構成）
図４は、データセンタ３の構成例を示す図である。尚、図４の構成はあくまで一例であり、用途、目的に応じて様々な構成を採ることが可能である。
【００４１】
データセンタ３を実現するコンピュータは、制御部３１、記憶部３２、メディア入出力部３３、通信制御部３４、入力部３５、表示部３６、周辺機器Ｉ／Ｆ（インターフェース）部３７等が、バス３８を介して接続される。
【００４２】
制御部３１は、ＣＰＵ、ＲＯＭ、ＲＡＭ等で構成される。
ＣＰＵは、記憶部３２、ＲＯＭ、記録媒体等に格納されるプログラムをＲＡＭ上のワークメモリ領域に呼び出して実行し、バス３８を介して接続された各部を駆動制御し、データセンタ３が行う後述する処理を実現する。
ＲＯＭは、不揮発性メモリであり、コンピュータのブートプログラムやＢＩＯＳ（Basic Input/Output System）等のプログラム、データ等を恒久的に保持している。
ＲＡＭは、揮発性メモリであり、記憶部３２、ＲＯＭ、記録媒体等からロードしたプログラム、データ等を一時的に保持するとともに、制御部３１が各種処理を行う為に使用するワークエリアを備える。
【００４３】
記憶部３２は、ＨＤＤ（ハードディスクドライブ）であり、制御部３１が実行するプログラム、プログラム実行に必要なデータ、ＯＳ（オペレーティングシステム）等を格納する。プログラムに関しては、ＯＳに相当する制御プログラムや、後述する処理をコンピュータに実行させるためのアプリケーションプログラムが格納されている。これらの各プログラムコードは、制御部３１により必要に応じて読み出されてＲＡＭに移され、ＣＰＵに読み出されて各種の手段として実行される。
【００４４】
メディア入出力部３３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。
通信制御部３４は、通信制御装置、通信ポート等を有し、コンピュータとネットワーク４間の通信を媒介する通信インターフェースであり、ネットワーク４を介して、他のコンピュータ間との通信制御を行う。ネットワーク４は、有線、無線を問わない。
【００４５】
入力部３５は、データの入力を行い、例えば、キーボード、マウス等のポインティングデバイス、テンキー等の入力装置を有する。入力部３５を介して、コンピュータに対して、操作指示、動作指示、データ入力等を行うことができる。表示部３６は、ＣＲＴモニタ、液晶パネル等のディスプレイ装置、ディスプレイ装置と連携してコンピュータのビデオ機能を実現するための論理回路等（ビデオアダプタ等）を有する。
【００４６】
周辺機器Ｉ／Ｆ（インターフェース）部３７は、コンピュータに周辺機器を接続させるためのポートであり、周辺機器Ｉ／Ｆ部３７を介してコンピュータは周辺機器とのデータの送受信を行う。
周辺機器Ｉ／Ｆ部３７は、ＵＳＢ（Universal Serial Bus）やＩＥＥＥ（The Institute of
Electrical and Electronics Engineers）１３９４やＲＳ−２３２Ｃ等で構成されており、通常複数の周辺機器Ｉ／Ｆを有する。周辺機器との接続形態は有線、無線を問わない。
バス３８は、各装置間の制御信号、データ信号等の授受を媒介する経路である。
【００４７】
図５は、データセンタ３の機能構成例を示すブロック図である。図５に示す機能部のうちの少なくとも一部は、図４の制御部３１により所定のプログラムが実行されることによって実現される。
【００４８】
データベース管理部４１は、データベース６に記憶されている、ＩＣカード管理テーブル５１および周辺情報テーブル５２を管理する。
【００４９】
データ解析部４２は、ネットワーク４を介して携帯端末２から取得した非接触型ＩＣカード５のカードＩＤ、ユーザＩＤ、行動情報を解析し、解析結果に基づく最適な情報をデータベース６から読み出すようにデータベース管理部４１に指示する。
【００５０】
情報生成部４３は、データ解析部４２を介して取得した最適な情報から携帯端末２に送信すべく情報を生成する。生成情報は、例えば、さまざまな情報にアクセスするためのＵＲＬ等が埋め込まれたウェブページである。
配信部４４は、情報生成部４３で生成された情報を、ネットワーク４を介して携帯端末２に配信する。また配信部４４は、生成された情報を、携帯端末２の近傍に位置する図示せぬ端末に配信する。
【００５１】
データベース６は、図５に示すように、少なくとも、ＩＣカード管理テーブル５１および周辺情報テーブル５２を記憶している。
【００５２】
ＩＣカード管理テーブル５１は、少なくとも、カードＩＤ５１Ａおよび位置情報５１Ｂを記憶する。
カードＩＤ５１Ａは、非接触型ＩＣカード５を一意に識別するための情報である。
位置情報５１Ｂは、カードＩＤ５１Ａに紐付けられた非接触型ＩＣカード５の設置場所（緯度、経度）を示す情報である。
【００５３】
周辺情報テーブル５２は、少なくとも、位置情報５２Ａ、周辺情報５２Ｂ、および、各種情報５２Ｃを記憶する。
位置情報５２Ａは、場所を示す情報（緯度、経度）であり、ＩＣカード管理テーブル５１の位置情報５１Ｂに紐付けられている。なお、位置情報５１Ａと位置情報５２Ａは、完全一致で紐付けられるのではなく、部分一致、すなわち、所定の範囲内（例えば、半径１ｋｍ）で近接する場合にも紐付けられる。
周辺情報５２Ｂは、位置情報５２Ａが示す場所に関連するさまざまな地理情報である。例えば、電車案内（現在地から目的地への徒歩ルートを含む交通ルート）、ハザードマップ（津波マップや洪水マップも含む）、ルート詳細情報等である。
各種情報５２Ｃは、位置情報５２Ａが示す場所に関連するさまざまな商業情報である。例えば、お店・施設、イベント情報、おすすめ情報（クーポン含む）等である。
【００５４】
（現在地関連情報取得処理）
図６は、携帯端末２が非接触ＩＣカード５から取得したカードＩＤをデータセンタ３に送信し、そのカードＩＤに基づいて現在地関連情報を取得する処理を説明するフローチャートである。
【００５５】
ステップＳ１において、携帯端末２の制御部１１は、ユーザからのアプリケーション起動指示に基づいて、記憶部１２から現在地関連情報取得アプリケーションを読み出し、起動する。
これにより、例えば、図７に示すような、現在地関連情報表示画面１０１が表示部１５に表示される。現在地関連情報表示画面１０１内の右側には、「乗車案内」のボタン１０２、「お店・施設検索」のボタン１０３、「周辺マップ」のボタン１０４、「イベント情報」のボタン１０５、「おすすめ情報」のボタン１０６、「メニュー」のボタン１０７、「Language」のボタン１０８が表示されている。
【００５６】
ステップＳ２において、携帯端末２の制御部１１は、非接触型ＩＣカード５にタッチされたか（重ね合わせられたか）否かを判定し、タッチされるまで待機する。ステップＳ２において、携帯端末２の制御部１１は、非接触型ＩＣカード５にタッチされたと判定すると、すなわち、近距離無線通信部１６を介してＮＦＣ方式のリーダ／ライタモード（又はＰ２Ｐモード）で非接触型ＩＣカード５を検知したと判定すると、ステップＳ３に進む。
【００５７】
ステップＳ３において、携帯端末２の制御部１１（情報送受信部２１）は、近距離無線通信部１６を介して、ＮＦＣ方式のリーダ／ライタモード（又はＰ２Ｐモード）で非接触型ＩＣカード５からカードＩＤを読み込む。
【００５８】
ステップＳ４において、携帯端末２の制御部１１は、携帯端末２の所有者を識別するユーザＩＤと行動情報を記憶部１２から読み出し、ステップＳ３の処理で読み込んだカードＩＤとともに、ネットワーク４を介してデータセンタ３に送信する。
【００５９】
ステップＳ５において、データセンタ３の制御部３１は、携帯端末２から送信されてきたカードＩＤ、ユーザＩＤ、および行動情報を受信する。
ステップＳ６において、データセンタ３の制御部３１（データ解析部４２）は、ステップＳ５の処理で受信したカードＩＤ、ユーザＩＤ、および行動情報をデータ解析し、解析結果に基づく最適な情報（周辺情報５２Ｂや各種情報５２Ｃ）をデータベース６から読み出すように、データベース管理部４１に指示する。
【００６０】
ステップＳ７において、データセンタ３の制御部３１（情報生成部４３）は、ステップＳ６の処理で読み出された情報から携帯端末２に送信すべく情報を生成する。例えば、現在地に関連する周辺情報にアクセスするためのＵＲＬが埋め込まれたウェブページが生成される。
【００６１】
ステップＳ８において、データセンタ３の制御部３１（配信部４４）は、ステップＳ７の処理で生成された情報を、ネットワーク４を介して携帯端末２に配信する。
またデータセンタ３の制御部３１（配信部４４）は、生成された情報を、携帯端末２の現在地の近傍に設置されている端末（例えば、電子掲示板、店舗に設置されたプリンタ等）に配信することもできる。
【００６２】
ステップＳ９において、携帯端末２の制御部１１は、データセンタ３から配信されてきた情報を受信し、表示部１５に表示させる。
これにより、現在地関連情報表示画面１０１には、例えば、図８に示すように、携帯端末２がタッチした非接触型ＩＣカード５の設置位置（現在地）の周辺マップが表示される。
【００６３】
図８に示す現在地関連情報表示画面１０１内の上側には、「周辺マップ」のボタン１０９、および「ハザードマップ」のボタン１１０が表示される。
例えば、ユーザによって、「ハザードマップ」のボタン１１０が選択された場合、現在地関連情報表示画面１０１には、さらに「洪水マップ」のボタン１１１、および「津波マップ」のボタン１１２が表示される。
なお、図８の現在地関連情報表示画面１０１では、「ハザードマップ」のボタン１１０が選択された場合の表示例を示している。
【００６４】
次に、ユーザによって、「津波マップ」のボタン１１２が選択された場合には、携帯端末２の制御部１１は、ネットワーク４を介してデータセンタ３に対し、津波マップの配信を要求することで、データベース６の周辺情報テーブル５２の周辺情報５２Ｂから読み出された津波マップに関する情報を受信する。
これにより、現在地関連情報表示画面１０１には、例えば、図９に示すように、津波マップが表示される（津波危険区域が網掛け表示される）。
【００６５】
（他の表示例）
次に、図１０〜図１６を参照して、図６に示した現在地関連情報取得処理で取得される各種情報の表示例について説明する。
【００６６】
図１０は、現在地関連情報表示画面１０１において、「ハザードマップ」のボタン１１０、および、「洪水マップ」のボタン１１１が選択された場合に取得される各種情報の表示例を示す図である。
【００６７】
携帯端末２の制御部１１は、上記のユーザ操作を受け、ネットワーク４を介してデータセンタ３に対し、洪水マップの配信を要求することで、データベース６の周辺情報テーブル５２の周辺情報５２Ｂから読み出された洪水マップに関する情報を受信する。
これにより、現在地関連情報表示画面１０１には、図１０に示すような、洪水マップが表示される（洪水危険区域が網掛け表示される）。
【００６８】
図１１は、現在地関連情報表示画面１０１において、「乗車案内」のボタン１０２が選択された場合に取得される各種情報の表示例を示す図である。
【００６９】
携帯端末２の制御部１１は、上記のユーザ操作を受け、ネットワーク４を介してデータセンタ３に対し、乗車案内の配信を要求することで、データベース６の周辺情報テーブル５２の周辺情報５２Ｂから読み出された乗車案内に関する情報を受信する。
これにより、現在地関連情報表示画面１０１には、図１１に示すような、乗車案内画面１２１および現在地の周辺マップ１３１が表示される。乗車案内画面１２１には、出発地、目的地、および、日時等を入力することができるようになされている。また乗車案内画面１２１には、入力情報に基づいてルートを検索する場合に選択される「ルートを検索」のボタン１２２も表示される。
【００７０】
図１２は、図１１に示す乗車案内画面１２１において、出発地、目的地、および、日時等の情報が入力され、「ルート検索」のボタン１２２が選択された場合に取得される各種情報の表示例を示す図である。
【００７１】
携帯端末２の制御部１１は、上記のユーザ操作を受け、ネットワーク４を介してデータセンタ３に対し、入力情報に基づいたルート検索を要求することで、データベース６の周辺情報テーブル５２の周辺情報５２Ｂから読み出されたルート検索結果を受信する。
これにより、現在地関連情報表示画面１０１の乗車案内画面１２１の下側には、図１２に示すような、ルート検索結果１２３が表示される。
図１２に示すルート検索結果１２３には、ルート１およびルート２の２つのルートが表示されており、「ルート詳細」のボタン１２４、「のりば案内」のボタン１２５、「時刻表」のボタン１２６も表示される。また周辺マップ１３１内に、出発地を表わす「Ｓ」のマーク、目的地を表わす「Ｇ」のマークも表示される。
【００７２】
図１３は、図１２に示すルート検索結果１２３において、「ルート詳細」のボタン１２４が選択された場合に取得される各種情報の表示例を示す図である。
【００７３】
携帯端末２の制御部１１は、上記のユーザ操作を受け、ネットワーク４を介してデータセンタ３に対し、ルート詳細を要求することで、データベース６の周辺情報テーブル５２の周辺情報５２Ｂから読み出されたルート詳細に関する情報を受信する。
これにより、現在地関連情報表示画面１０１の乗車案内画面１２１の左側には、図１３に示すような、ルート詳細情報画面１４１が表示される。
【００７４】
図１４は、現在地関連情報取得画面１０１において、「おすすめ情報」のボタン１０６が選択された場合に取得される各種情報の表示例を示す図である。
【００７５】
携帯端末２の制御部１１は、上記のユーザ操作を受け、ネットワーク４を介してデータセンタ３に対し、おすすめ情報を要求することで、データベース６の周辺情報テーブル５２の各種情報５２Ｃから読み出されたおすすめ情報を受信する。
これにより、現在地関連情報表示画面１０１には、図１４に示すような、おすすめ情報画面１５１、および、おすすめ情報に関連する画像一覧画面１６１が表示される。
図１４に示すおすすめ情報画面１５１には、現在地周辺のおすすめ情報（紹介文の一部）が一覧表示されている。画像一覧画面１６１には、おすすめ情報に関連する画像群のうち、代表画像がサムネイル画像１６１Ａ〜１６１Ｃで表示されている。
【００７６】
図１５は、現在地関連情報表示画面１０１において、「イベント情報」のボタン１０５が選択された場合に取得される各種情報の表示例を示す図である。
【００７７】
携帯端末２の制御部１１は、上記のユーザ操作を受け、ネットワーク４を介してデータセンタ３に対し、イベント情報を要求することで、データベース６の周辺情報テーブル５２の各種情報５２Ｃから読み出されたイベント情報を受信する。
これにより、現在地関連情報表示画面１０１には、図１５に示すような、イベント情報画面１７１が表示される。
図１５に示すイベント情報画面１７１には、現在地周辺のイベント情報に関連する画像群のうち、代表画像のサムネイル画像がそれぞれ表示されている。図示しないが、サムネイル画像が選択されると、さらに、当該サムネイル画像に対応するイベント情報の詳細情報がデータセンタ３に要求され、データベース６の周辺情報テーブル５２の各種情報５２Ｃから読み出された詳細情報が受信され、表示される。
【００７８】
図１６は、現在地関連情報表示画面１０１が表示されている状態で、緊急地震速報のサービスが配信された場合に取得される各種情報の表示例を示す図である。
携帯端末２の制御部１１は、図示せぬ緊急地震速報サービス提供サイトから配信される、現在地に関連する緊急地震速報のサービスを受信した場合、現在地関連情報表示画面１０１に、図１６に示すような、緊急地震速報画面１８１を表示させる。
【００７９】
［本発明の実施の形態における効果］
１．以上のように、携帯端末２がＧＰＳ機能を使用することができない場所においても、現在地の近傍に設置された非接触ＩＣカード５からカードＩＤを取得することで、容易に、正確な現在地を知ることができるとともに、現在地の周辺情報を取得することができる。
２．非接触ＩＣカード５は、電源や通信網を必要としないため、低コストで実施可能となる。
３．データセンタ３は、携帯端末２から取得したカードＩＤから特定される位置情報、および携帯端末２のユーザの行動情報等から、最適な周辺情報や各種情報を読み出し、配信することができる。
【００８０】
以上、添付図面を参照しながら、本発明に係る現在地関連情報取得システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００８１】
１………現在地関連情報取得システム
２………携帯端末
３………データセンタ
４………ネットワーク
５………非接触型ＩＣカード
６………データベース
１１………制御部
１２………記憶部
１５………表示部
１６………近距離無線通信部
３１………制御部
５１………ＩＣカード管理テーブル
５２………周辺情報テーブル
【図１】
2015138320.tif 000003
【図２】
2015138320.tif 000004
【図３】
2015138320.tif 000005
【図４】
2015138320.tif 000006
【図５】
2015138320.tif 000007
【図６】
2015138320.tif 000008
【図７】
2015138320.tif 000009
【図８】
2015138320.tif 000010
【図９】
2015138320.tif 000011
【図１０】
2015138320.tif 000012
【図１１】
2015138320.tif 000013
【図１２】
2015138320.tif 000014
【図１３】
2015138320.tif 000015
【図１４】
2015138320.tif 000016
【図１５】
2015138320.tif 000017
【図１６】
2015138320.tif 000018